(57)【要約】【課題】ホログラフィック記憶媒体１２に対して読み出し及び／又は書き込みを行うための装置１用のレンズ系１１、より具体的には、物体ビーム及び参照ビームの同軸共通開口配列を有する装置に対して最適化されたレンズ系１１を提供すること。【解決手段】物体ビームをフーリエ変換し、参照ビームをホログラフィック記憶媒体１２のホログラム層へ集束させ、サーボビーム１７をホログラム層のサーボ領域に集束させるレンズ系１１は、物体ビーム、参照ビーム、及びサーボビーム１７に作用する可動部１０１，１０２，１０３と、サーボビーム１７のみに作用する固定部１０４とを備えている。【選択図】図６
2009093785.tif 000002
【特許請求の範囲】
【請求項１】
ホログラフィック記憶システム用のレンズ系において、
物体ビームをフーリエ変換し、参照ビームをホログラフィック記憶媒体のホログラム層へ集束させ、サーボビームを前記ホログラム層のサーボ領域に集束させるレンズ系であって、前記物体ビームをフーリエ変換し、前記参照ビーム及び前記サーボビームを集束させる可動部と、前記サーボビームのみを前集束させる固定部とを備えたことを特徴とするレンズ系。
【請求項２】
前記可動部は、３枚のレンズを有することを特徴とする請求項１に記載のレンズ系。
【請求項３】
前記可動部の前記３枚のレンズのうちの２枚は、非球面レンズであり、１枚のレンズは、球面レンズであることを特徴とする請求項２に記載のレンズ系。
【請求項４】
前記可動部の前記３枚のレンズは、非球面レンズであることを特徴とする請求項２に記載のレンズ系。
【請求項５】
前記サーボビームのみを前集束させる前記固定部は、集束レンズであることを特徴とする請求項１乃至４のいずれかに記載のレンズ系。
【請求項６】
前記物体ビーム及び／又は前記参照ビームのビーム経路に前記サーボビームを結合するための波長選択的なビームスプリッタをさらに有することを特徴とする請求項１乃至５のいずれかに記載のレンズ系。
【請求項７】
前記同軸共通開口ホログラフィック記憶システムは、４ｆ系であり、前記ホログラフィック記憶媒体の前記ホログラム層は、前記４ｆ系のフーリエ平面内にあることを特徴とする請求項１乃至６のいずれかに記載のレンズ系。
【請求項８】
前記４ｆ系の前記情報チャネル、前記参照チャネル、及び前記サーボチャネルに対して同時に、前記３チャネルの波面品質が０．０２ＲＭＳλ以上となるように最適化されることを特徴とする請求項１乃至７のいずれかに記載のレンズ系。
【請求項９】
前記情報チャネルは、有限共役であり、前記参照チャネル及び前記サーボチャネルは、無限共役であることを特徴とする請求項１乃至８のいずれかに記載のレンズ系。
【請求項１０】
前記情報チャネルは、前記４ｆ系の物体平面及び像平面に対してテレセントリック／逆テレセントリックモードにあることを特徴とする請求項１乃至９のいずれかに記載のレンズ系。
【請求項１１】
請求項１乃至１０のいずれかに記載のレンズ系を備えたことを特徴とするホログラフィック記憶システム。
【発明の詳細な説明】
【技術分野】
【０００１】
本発明は、ホログラフィック記憶システム用のレンズ系に関し、より詳細には、ホログラフィック記憶媒体に対して読み出し及び／又は書き込みを行う同軸共通開口ホログラフィック記憶システム用のレンズ系、物体ビーム及び参照ビームの同軸共通開口配置を有する共通開口ホログラフィック記憶システム装置用に最適化されたレンズ系に関する。さらに、そのようなレンズ系を使用してホログラフィック記憶媒体に対する読み出し及び／又は書き込みを行うホログラフィック記憶システムに関する。
【背景技術】
【０００２】
ホログラフィックデータ記憶では、２本のコヒーレントなレーザービームを重畳することによって生成される干渉パターンを記録することによりデジタルデータを記憶する。この場合、一方のビーム、いわゆる「物体ビーム」は、空間光変調器によって変調され、記録する情報を運ぶ。第２のビームは、参照ビームとして働く。干渉パターンにより、記憶材料の特定の性質が干渉パターンの局所強度に応じて変化する。記録されたホログラムの読み出しは、記録中と同じ状態を使用して、参照ビームをホログラムに照射することによって行われる。これより、記録された物体ビームが復元される。
【０００３】
ホログラフィックデータ記憶の１つの長所は、データ容量が増加することである。従来の光記憶媒体とは異なり、単なる単一又はいくつかの２次元的な層ではなく、ホログラフィック記憶媒体の体積が情報を記憶するのに使用される。ホログラフィックデータ記憶のもう１つの長所は、例えば、２本のビーム間の角度を変えること、又はシフト多重化などを用いることによって、複数のデータを同じ体積に記憶できることである。さらに、単一ビットを記憶する代わりに、データがデータページとして記憶される。一般に、データページは明暗パターンのマトリックス、すなわち、複数のビットを符号化する２次元的な２値配列又は濃淡値の配列から構成される。これにより、記録密度の向上に加え、データレートの向上が達成される。データページは、空間光変調器（ＳＬＭ）によって物体ビーム上へ写し込まれ（ｉｍｐｒｉｎｔｅｄ）、検出器アレイによって検出される。
【０００４】
同軸ホログラフィックデータ記憶（ｃｏａｘｉａｌ  ｈｏｌｏｇｒａｐｈｉｃｄａｔａ  ｓｔｏｒａｇｅ）では、物体ビーム及び１つ又は複数の参照ビームが共通の光軸に沿って進む。例えば、特許文献１は、反射型ホログラフィック記録媒体用の同軸光ヘッドを有するフーリエホログラフィック記憶システム（Ｆｏｕｒｉｅｒ  ｈｏｌｏｇｒａｐｈｉｃ  ｓｔｏｒａｇｅ  ｓｙｓｔｅｍ）を開示している。この光ヘッドは、同軸構成の球面参照ビームを用いる多重化法を使用する。これには、物体ビームのフーリエ平面において、参照ビームとして高品質の球面ビームが必要である。その結果、高品質の球面ビームを実現すること及び良好なフーリエ変換を得ることの両方のために、同一のフーリエ対物レンズを最適化しなければならない。これらは、２つの相反する必要条件である。
【０００５】
フーリエ対物レンズの対象物は画素アレイで構成される。このアレイは、対物レンズから有限の距離に位置する。この記憶システムでは、対応するビームは情報ビームであり、データチャネル全体が情報チャネルである。参照チャネルでは、集束レンズの対象物は単一点であり、この点はフーリエ対物レンズから無限の距離にある。参照チャネルでは、フーリエ対物レンズは単純な集束対物レンズとして機能し、この場合、参照ビームの集束点は光軸からシフトされる。
【０００６】
フーリエ平面では、画素アレイのフーリエ変換である物体ビームは、「開口が制限された」平面波の集合である。参照ビームは、この平面における軸方向にシフトされた球面ビームである。参照ビーム円錐のシフトされた軸は、フーリエ平面に対して直角である。したがって、参照ビーム及び情報ビームの挙動は、両方の平面、すなわち物体平面及びフーリエ平面で異なる。
【０００７】
また、特許文献２では、ホログラフィック記憶用のサーボ系が提案されている。このサーボ系は、ＣＤ又はＤＶＤシステムのために使用される周知のサーボ系と類似している。このサーボ系は、情報ビームの波長とは異なる波長によって作動する。通常、このサーボ系は赤色光を使用するが、情報ビームは青色又は緑色である。したがって、フーリエ対物レンズは、２つの波長に対して設計する必要がある。白色光又はさまざまなレーザー波長に使用する対物レンズの色収差を補正する周知の方法は、アッベ数の異なる接合ダブレットを適用するというものである。他の解決法は、アッベ数の異なる一連のシングレットを使用するというものである。しかし、素子の数が比較的多いため、どちらの解決法の場合も、得られる色補正されたフーリエ対物レンズの質量が大きくなる。これは、機械的に堅固なサーボが必要であることを意味する。
【０００８】
【特許文献１】国際公開第２００６／００３０７７号パンフレット
【特許文献２】欧州特許第１３２４３２２号明細書
【非特許文献１】G. Erdei et al.: “Telecentric/inverse-telecentric objective for optical data storage purposes”, Proc. SPIE Vol. 3573 (1998), p. 380-383
【発明の開示】
【発明が解決しようとする課題】
【０００９】
本発明は、このような状況に鑑みてなされたもので、その目的とするところは、ホログラフィック記憶媒体に対して読み出し及び／又は書き込みを行う同軸共通開口ホログラフィック記憶システム用のレンズ系を提供することにある。
【課題を解決するための手段】
【００１０】
本発明によれば、この目的は、物体ビームをフーリエ変換し、参照ビームをホログラフィック記憶媒体のホログラム層へ集束させ、サーボビームをホログラム層のサーボ領域に集束させるレンズ系であって、物体ビームをフーリエ変換し、参照ビーム及びサーボビームを集束させる可動部と、サーボビームのみを前集束（ｐｒｅ−ｆｏｃｕｓ）させる固定部とを含む、同軸ホログラフィック記憶システム用のレンズ系によって達成される。このレンズ系は、３チャネルフーリエ対物レンズである。３つのチャネルは、それぞれ情報チャネル、参照チャネル、及びサーボチャネルである。フーリエ対物レンズを最適化するために、３つの構成、すなわち情報チャネルの構成、参照チャネルの構成、及びサーボチャネルの構成が使用される。この３つの構成は、それぞれ異なる物体距離及び像距離と、開始ビームパラメータ（ｓｔａｒｔｉｎｇ  ｂｅａｍ  ｐａｒａｍｅｔｅｒ）と、重み付けされた最適化基準とを有する。レンズ系の可動部は、３枚のレンズを有することが好ましい。３枚のレンズを用いることにより、３つの構成を同時に最適化することが可能となる。異なる構成の最適化基準は、多少矛盾している。
【００１１】
３枚のレンズのうちの少なくとも２枚は非球面レンズであり、第３のレンズは球面レンズであるか、同様に非球面レンズであるかのいずれかであることが好ましい。形状が最適化された非球面ガラス素子を使用することにより、矛盾した必要条件間のトレードオフを得ることができる。
【００１２】
有利には、レンズ系の固定部は、サーボビームにのみ作用しているレンズである。このレンズは、長焦点距離を有する集束レンズであることが好ましい。サーボビームならびに参照ビーム及び物体ビームの異なる波長用の３枚のレンズの材料は屈折率がわずかに異なるため、色収差の補正なしでは、レンズ系の焦点距離は、通常、参照及び物体ビームよりもサーボビームの方が長い。この収差を補正するために、サーボビームは、レンズ系の３枚のレンズに入射する前に、わずかに集束される。
【００１３】
サーボチャネルは２つの部分に分かれる。一方の部分はサーボ系と共に移動し、他方の部分は固定されている。サーボチャネルの可動部は、情報チャネル及び参照チャネルと共通である。３チャネル対物レンズの可動部の質量は比較的小さい。固定部は、長焦点距離レンズで構成される。長焦点距離レンズは、わずかにサーボチャネルの光ビームを集束させる。３チャネル対物レンズによって解消される１つの重要な問題は、異なるレーザー波長に対するフーリエ対物レンズの焦点距離の違いである。異なる波長に起因する収差は、フーリエ対物レンズに入射する前に前集束レンズを使用してサーボ光ビームをわずかに集束させることによって補正される。この場合、２つのレーザー波長は、適切に選択されたアッベ数の異なる材料から作製された３枚又は４枚のレンズによって同じ場所に集束される。前集束により、焦点サーボ系の移動範囲は、±０．１ｍｍから±０．２ｍｍに限定される。
【００１４】
固定部は、波長選択的なビームスプリッタ、例えば、ダイクロイックプリズムをさらに有することが好ましい。波長選択的なビームスプリッタは、ホログラフィック記憶に使用される光ビームの経路内外にサーボ光ビームを結合するため、すなわち、サーボチャネルと情報／参照チャネルとの複合と分離のために使用される。
【００１５】
より良好な理解のために、以下の記載において図面を参照して本発明をより詳細に説明する。本発明はこの例示的な実施形態に限定されるものではなく、本発明の範囲を逸脱することなく、特定の各特徴事項の適切な組合せ及び／又は変更が可能であることが理解される。
【発明を実施するための最良の形態】
【００１６】
図１は、一般的な１２ｆ反射型ホログラフィック記憶システムを概略図である。レーザーダイオード２は光ビーム３を放射し、光ビーム３はコリメーティングレンズ４によってコリメートされる。空間光変調器５は光ビーム３にデータパターンを写し込み、次いで、光ビーム３は、第１のフーリエ対物レンズ対３０、いわゆる書き込み用長焦点距離リレー対物レンズ３０によって中間像平面１０に投影される。説明を簡単にするために、この図１には参照ビームは示さない。
【００１７】
第１のフーリエ対物レンズ対３０は、フーリエ対物レンズ６と、逆フーリエ対物レンズ９と、第１のフーリエ対物レンズ対３０のフーリエ平面に配置されたフーリエフィルタ７とを備えている。高ＮＡフーリエ対物レンズ１１は、ホログラフィック記憶媒体１２に光ビーム３を投影する。ホログラフィック記憶媒体１２の反射層（図示せず）と組み合わさって、高ＮＡフーリエ対物レンズ１１は、第２の折返しフーリエ対物レンズ対３１を構成する。読み出しのためには、第３のフーリエ対物レンズ対３２、いわゆる読み出し用長焦点距離リレー対物レンズ３２が使用される。
【００１８】
第３のフーリエ対物レンズ対３２は、逆フーリエ対物レンズ９と、フーリエ対物レンズ１４と、第３のフーリエ対物レンズ対３２のフーリエ平面に配置されたフーリエフィルタ１３とを備えている。１／４波長板２０は、偏光感受性ビームスプリッタ８と組み合わせて、書き込みビームと読み出しビームを分離するために使用される。アレイ検出器１５は、読み出しビームに含まれるデータを検出する。
【００１９】
さらに、必要なサーボ信号を得るためのＣＤ／ＤＶＤ型集束追従サーボ光学系３３も設けられる。サーボ光源１６はサーボビーム１７を生成し、サーボビーム１７はコリメーティングレンズ１８によってコリメートされ、波長選択性のビームスプリッタ１９、本実施形態ではダイクロイックプリズムによって光ビーム３の経路に結合される。他の偏光感受性ビームスプリッタ２１は、ホログラフィック記憶媒体１２から反射したサーボビームを、集束レンズ２２介して検出器２３上へと向ける。
【００２０】
上述した光学配置は１２ｆ系であり、１２ｆ系は３つの４ｆフーリエ変換／再変換サブシステム３０、３１、３２から構成される。この系には、中間対物像平面１０が配置される。系の大きさを縮小し、サーボ系を単純化するために、図１の光学配置は、反射型の系である。これは、光学系全体がホログラフィック記憶媒体１２の一方の側に配置されることを意味する。無論、この系を透過型の系として実現することも同様に可能である。
【００２１】
以下では、第２の４ｆフーリエ変換サブシステム３１の本発明による２つの実施形態について説明する。両実施形態では、対物レンズ１１が３枚のレンズを有する。
【００２２】
図２乃至図６は、本発明の第１の実施形態を示す図で、対物レンズ１１は、２枚の非球面レンズ１０１、１０３の間に配置された１枚の球面レンズ１０２を備えている。
【００２３】
図２は、本発明の第１の実施形態による３チャネル対物レンズの情報チャネルを表す図である。図３は、図２における破線の四角によって示した領域の拡大図である。情報チャネルは、３枚のレンズ１０１，１０２，１０３をそれぞれ備えた２つの同一の３チャネル対物レンズ１１から構成されている。第１の対物レンズ１１は、対物レンズ１１の後焦点面への物体のフーリエ変換を実行する。第２の対物レンズ１１は、第２の対物レンズの焦点面へ像を再変換する。反射型の系の場合、３チャネル対物レンズ１１は２度使用され、第１の対物レンズ及び第２の対物レンズとして機能する。３チャネル対物レンズ１１は、第１の対物レンズ１１として機能する際、ホログラフィック記憶媒体１２のミラー面上へ物体を変換する。ミラーが光を反射し、３チャネル対物レンズ１１が第２の対物レンズ１１として機能して像を変換し戻す。情報チャネルの物体平面は、１２ｆ系の中間物体平面１０である。これは、第１の対物レンズ１１の第１の焦点面である。
【００２４】
フーリエ対物レンズ１１の対象物は、画素アレイ又は画素アレイの像である。フーリエ平面は、２つの同一の対物レンズ１１の中間にある共通の焦点面である。ホログラフィック記憶媒体１２の記憶材料は、このフーリエ平面の近くに配置される。フーリエ平面では、画素アレイのフーリエ変換である物体ビームは、開口が制限された平面波の集合である。このことは、図３に示す情報チャネルの拡大図においてより明瞭に見ることができる。像平面は、１２ｆ系の中間像平面１０である。情報チャネルは、有限共役系（ｆｉｎｉｔｅ  ｃｏｎｊｕｇａｔｅ  ｓｙｓｔｅｍ）である。情報チャネルは、物体平面１０及び像平面１０の両方でテレセントリックである。これは、入射瞳及び射出瞳が無限遠にあることを意味する。例えば、非特許文献１参照。
【００２５】
図４は、第１の実施形態による３チャネル対物レンズの参照チャネルを表す図である。図５は、図４における破線の四角によって示した領域の拡大図である。参照チャネルは、無限共役系（ｉｎｆｉｎｉｔｅ  ｃｏｎｊｕｇａｔｅ  ｓｙｓｔｅｍ）である。参照チャネルは、３枚のレンズ１０１，１０２，１０３を備えた１つの対物レンズ１１のみから構成されている。この対物レンズの対象物は、単一点であり、フーリエ対物レンズ１１から無限の距離にある。参照ビームは、対物レンズ１１の前では開口が制限された平面波である。説明を簡単にするために、単一の参照ビームのみが示されており、この参照ビームの伝搬方向は、参照ビームチャネルと物体ビームチャネルとを分離するために、対物レンズ１１の光軸に対してわずかに偏位（ｉｎｃｌｉｎｅ）している。フーリエ対物レンズ１１は、このチャネルにおいては単純な集束対物レンズとしての働きをする。したがって、参照ビームは、後焦点面付近では球面ビームであり、後焦点面では単一点、より正確にはエアリーディスクである。このことは、図５に示す参照チャネルの拡大図においてより明瞭に見ることができる。
【００２６】
図６は、第１の実施形態による３チャネル対物レンズのサーボチャネルを表す図である。説明を簡単にするために、この図６ではサーボチャネルが曲げられていない。理論的には、ＣＤ／ＤＶＤのようなサーボ系の場合、サーボビーム１７は対物レンズ１１の前では平面波であり、集束対物レンズ１１の後ろの焦点面の近くでは球面ビームである。物体距離は無限である。図１に示したシステムでは、異なる波長を有する２本のビーム、すなわち、参照ビーム及びサーボビーム１７は、同じ平面に集束される。異なる波長に対してわずかに材料の屈折率が異なっているため、色収差の補正なしでは、対物レンズ１１の焦点距離は、通常、参照ビームよりもサーボビーム１７の方が長い。この収差を補正するために、サーボビーム１７は、追加のレンズ１０４によって、集束対物レンズ１１に入射する前にわずかに集束される。この場合、サーボビーム１７及び参照ビームを、２枚又は３枚のレンズを使用して同じ平面に集束でき、これらのレンズは、適切に選択されたアッベ数の異なる材料から作製される。図では、３枚のレンズを使用する解決法のみが示されている。しかし、異なるアッベ数及び屈折率のためには少なくとも２枚のレンズがあればよいので、３枚のレンズ１０１，１０２，１０３の代わりに２枚のレンズのみを使用する解決法も同様に実施可能である。
【００２７】
３チャネル対物レンズ１１の移動質量を減らすために、この対物レンズ１１は、固定部及び可動部に有利には分けられる。可動部は３つのチャネルすべてに共通であるが、固定部はサーボチャネルだけに帰属する。固定部は長焦点距離レンズ１０４から構成され、長焦点距離レンズ１０４は、サーボチャネルのサーボビーム１７を対物レンズ１１への入射前にわずかに集束させる。焦点サーボ系の移動範囲が限定されている場合、この前集束によっていかなる問題も生じなくなる。本例では、情報チャネルの被写界深度によって焦点サーボ系の移動範囲が限定される。というのは、この被写界深度が有限物体距離に対して最適化されるからである。情報チャネルの被写界深度は、約０．０５ｍｍから０．２ｍｍである。サーボチャネルの前集束されたサーボビーム１７は、同じ範囲内で作用する必要がある。図６には固定部と可動部との間に追加のダイクロイックプリズム１９が示されており、このダイクロイックプリズム１９は、サーボビーム１７をホログラフィックチャネル（参照チャネル及び情報チャネル）の内外へ結合する。図１に示した状態とは異なり、説明を簡単にするために、図６ではサーボチャネルが曲げられていない点に留意されたい。
【００２８】
図７乃至図９は、本発明の第２の実施形態を示す図で、透過型ホログラフィック記憶システムの場合の対物レンズを示している。
【００２９】
図７は、第２の実施形態による３チャネル対物レンズの情報チャネルを表す図で、図８は、第２の実施形態による３チャネル対物レンズの参照チャネルを表す図で、図９は、第２の実施形態による３チャネル対物レンズのサーボチャネルを示す図である。
【００３０】
この実施形態では、対物レンズ１１が３枚の非球面レンズ１０１，１０２，１０３と、これらと左右対称的に設けられた３枚の非球面レンズ１０５，１０６，１０７を備えている。なお、１０８は中間像平面である。図７は情報チャネルを示しており、図８及び図９は参照チャネル及びサーボチャネルをそれぞれ図示している。情報チャネルは、物体平面と像平面との間で最適化されるが、参照チャネル及びサーボチャネルは、フーリエ平面までしか最適化されないので、図８及び図９にはフーリエ平面までの光学配置のみを示す。
【００３１】
対物レンズ１１の最適化のために、３つの構成、すなわち、情報チャネルの構成、参照チャネルの構成、及びサーボチャネルの構成が使用される。３つの構成すべては、物像間距離と、開始ビームパラメータとが異なり、それら独自の重み付けされた最適化基準を有する。これら３つの構成は、同時に最適化される。得られるレンズは、３つの個別の最適化基準すべてを同時に満たす必要がある。表１には、３つの構成の異なる主要な最適化パラメータをまとめてある。
【００３２】
【表１】
2009093785.tif 000003
【００３３】
この表１からは、異なる構成の最適化基準が多少矛盾していることが分かる。形状が最適化された非球面素子を使用することにより、矛盾した必要条件間のトレードオフが得られる。
【００３４】
３チャネル対物レンズ１１の第１の実施形態の例示的なレンズ規定（ｌｅｎｓ  ｐｒｅｓｃｒｉｐｔｉｏｎ）を表２に列挙する。
【００３５】
【表２】
2009093785.tif 000004
【００３６】
回転対称の多項式非球面は、球面（すなわち、円錐曲線によって描かれた非球面）の表面からの偏差の多項式展開によって記述される。偶数次非球面表面モデル（ｅｖｅｎ  ａｓｐｈｅｒｅ  ｓｕｒｆａｃｅ  ｍｏｄｅｌ）は、動径座標（ｒａｄｉａｌ  ｃｏｏｒｄｉｎａｔｅ）の偶数乗（ｅｖｅｎ  ｐｏｗｅｒ）のみを用いて非球面性を記述する。このモデルは、ベース曲率半径Ｒ及び円錐定数ｋを用いる。表面サグは、
【００３７】
【数１】
2009093785.tif 000005
【００３８】
によって与えられ、式中ｃ＝１／Ｒである。
【００３９】
表２のレンズ規定のための非球面係数を表３にまとめてある。
【００４０】
【表３】
2009093785.tif 000006
【００４１】
３チャネル対物レンズ１１の第２の実施形態の例示的なレンズ規定を表４に列挙する。
【００４２】
【表４】
2009093785.tif 000007
【００４３】
表４のレンズ規定のための非球面係数を表５にまとめてある。
【００４４】
【表５】
2009093785.tif 000008
【００４５】
上記の表２及び表４において、第１列の（面）は、最適化のために考慮される面数を示している。＃０（ＯＢＪ）は物体面、＃２７（ＩＭＡ）及び＃１８（ＩＭＡ）は、それぞれ表２及び表３の像面である。（ＳＴＯ）は停止面を示している。第２列は、面のタイプ、すなわちスタンダード（球面又は平面）、非球面、又はコーディネートブレークを示している。第３列は、所与の面の曲率半径を含む。第４列においては、線（ｎ）及び（ｎ＋１）の２つの表面間の厚さ（距離）がｍｍ単位で示されている。第５列は、レンズの材料名を含んでいる。対象にしている面のｍｍ単位の直径が、第６列に列挙されている。無論、この直径は必要最小限の直径のみを表している。最後に、第７列は、非球面の円錐定数を示している。
【図面の簡単な説明】
【００４６】
【図１】１２ｆ反射型ホログラフィック記憶システムの概略図である。
【図２】本発明の第１の実施形態による３チャネル対物レンズの情報チャネルを表す図である。
【図３】図２における破線の四角によって示した領域の拡大図である。
【図４】第１の実施形態による３チャネル対物レンズの参照チャネルを表す図である。
【図５】図４における破線の四角によって示した領域の拡大図である。
【図６】第１の実施形態による３チャネル対物レンズのサーボチャネルを表す図である。
【図７】本発明の第２の実施形態による３チャネル対物レンズの情報チャネルを表す図である。
【図８】第２の実施形態による３チャネル対物レンズの参照チャネルを表す図である。
【図９】第２の実施形態による３チャネル対物レンズのサーボチャネルを示す図である。
【符号の説明】
【００４７】
１  同軸共通開口ホログラフィック記憶システム
２  レーザーダイオード
３  光ビーム
４  コリメーティングレンズ
５  空間光変調器
６  フーリエ対物レンズ
７  フーリエフィルタ
８  偏光感受性ビームスプリッタ
９  逆フーリエ対物レンズ
１０，１０８  中間像平面
１１  高ＮＡフーリエ対物レンズ
１２  ホログラフィック記憶媒体
１３  フーリエフィルタ
１４  フーリエ対物レンズ
１５  アレイ検出器
１６  サーボ光源
１７  サーボビーム
１８  コリメーティングレンズ
１９  ビームスプリッタ
２０  １／４波長板
２１  偏光感受性ビームスプリッタ
２２  集束レンズ
２３  検出器
３０  第１のフーリエ対物レンズ対
３１  第２の折返しフーリエ対物レンズ対
３２  第３のフーリエ対物レンズ対
３３  ＣＤ／ＤＶＤ型集束追従サーボ光学系
１０１，１０２，１０３，１０５，１０６，１０７  可動部
１０４  固定部
【図１】
2009093785.tif 000009
【図２】
2009093785.tif 000010
【図３】
2009093785.tif 000011
【図４】
2009093785.tif 000012
【図５】
2009093785.tif 000013
【図６】
2009093785.tif 000014
【図７】
2009093785.tif 000015
【図８】
2009093785.tif 000016
【図９】
2009093785.tif 000017